(57)【要約】【課題】フラップの着用者の肌に対する圧迫が低減され、肌触りのよい使い捨て吸収性物品を提供する。【解決手段】トップシート２とバックシート３との間に吸収性コア４が配置され、長手方向と幅方向とを有する吸収体５と、吸収性コア４の幅方向両側縁部に沿って設けられたフラップ６とを有する使い捨て吸収性物品１であって、前記フラップ６は、トップシート２に接合する固定部７と、固定部７から上方に延出する起立部８とを有し、起立部８は、非伸縮性の撥水性または液体不透過性の不織布のみから形成されている。さらに、前記フラップ６は、起立部８から延出し、起立部８の上方縁９で折り返された折り返し部１０を有し、折り返し１０部は、非伸縮性の撥水性または液体不透過性の不織布のみから形成され、起立部８と折り返し部１０は、溶着部１１により互いに溶着されていてもよい。【選択図】図１
2010194228.tif 000002
【特許請求の範囲】
【請求項１】
トップシートとバックシートとの間に吸収性コアが配置され、長手方向と幅方向とを有する吸収体と、
前記吸収性コアの幅方向両側縁部に沿って設けられたフラップとを有する使い捨て吸収性物品であって、
前記フラップは、前記トップシートに接合する固定部と、前記固定部から上方に延出する起立部とを有し、
前記起立部は、非伸縮性の撥水性または液体不透過性の不織布のみから形成されていることを特徴とする使い捨て吸収性物品。
【請求項２】
前記フラップは、前記起立部から延出し、前記起立部の上方縁で折り返された折り返し部を有し、
前記折り返し部は、非伸縮性の撥水性または液体不透過性の不織布のみから形成され、
前記起立部と折り返し部は、溶着部により互いに溶着されている請求項１に記載の使い捨て吸収性物品。
【請求項３】
前記溶着部は、前記起立部の上方縁に対し４５°〜１３５°の角度で配置された直線状または点線状の溶着線が、長手方向に複数並んだ溶着線群からなる請求項２に記載の使い捨て吸収性物品。
【請求項４】
前記使い捨て吸収性物品は使い捨ておむつであり、
前記使い捨ておむつは、前腹部と、後背部と、これらの間に位置し前記吸収性コアが備えられた股部とから構成され、股部の幅方向に前記フラップを横断して配設される弾性部材を有する請求項１〜３のいずれか一項に記載の使い捨て吸収性物品。
【請求項５】
前記弾性部材は、両端部が股部の縁に沿って延在する請求項４に記載の使い捨て吸収性物品。
【請求項６】
前記フラップの起立部および／または折り返し部には、前記起立部の上方縁に沿って線状または点状の着色部が設けられている請求項１〜５のいずれか一項に記載の使い捨て吸収性物品。
【発明の詳細な説明】
【技術分野】
【０００１】
本発明は、生理用ナプキンや使い捨ておむつ等の使い捨て吸収性物品に関するものである。
【背景技術】
【０００２】
従来、フラップを有する使い捨て吸収性物品が知られており、フラップには弾性部材が設けられているのが一般的である。例えば、特許文献１には、弾性部材が設けられたフラップを有する使い捨て吸収性物品が開示されているが、特許文献１では、複数の弾性部材が間隔をおいてフラップ内に設けられ、フラップの頭頂部には弾性部材が設けられていない。
【先行技術文献】
【特許文献】
【０００３】
【特許文献１】実開平４−５８２５号公報
【発明の概要】
【発明が解決しようとする課題】
【０００４】
しかし、弾性部材が設けられたフラップは、弾性部材の伸縮力により、フラップの弾性部材が設けられた部分が着用者の肌を圧迫するため、当該部分の肌への触感が悪化する場合があった。本発明は上記事情に鑑みてなされたものであり、その目的は、弾性部材が設けられたフラップと比較して、フラップの着用者の肌に対する圧迫が低減され、肌触りのよい使い捨て吸収性物品を提供することにある。
【課題を解決するための手段】
【０００５】
上記課題を解決することができた本発明の使い捨て吸収性物品とは、トップシートとバックシートとの間に吸収性コアが配置され、長手方向と幅方向とを有する吸収体と、前記吸収性コアの幅方向両側縁部に沿って設けられたフラップとを有する使い捨て吸収性物品であって、前記フラップは、前記トップシートに接合する固定部と、前記固定部から上方に延出する起立部とを有し、前記起立部は、非伸縮性の撥水性または液体不透過性の不織布のみから形成されているところに特徴を有する。本発明の使い捨て吸収性物品は、フラップの起立部が非伸縮性の撥水性または液体不透過性の不織布のみから形成されているため、弾性部材が設けられておらず、弾性部材が設けられたフラップと比較して、着用者の肌に対する圧迫が低減され、肌触りがよい。
【０００６】
前記フラップは、前記起立部から延出し、前記起立部の上方縁で折り返された折り返し部を有し、前記折り返し部は、非伸縮性の撥水性または液体不透過性の不織布のみから形成され、前記起立部と折り返し部は、溶着部により互いに溶着されていることが好ましい。フラップが、起立部と折り返し部とを有し、これらが溶着部により互いに溶着されていると、溶着部によりフラップに剛性が付与されるため、起立部と折り返し部とに弾性部材が設けられていなくても、フラップが吸収体の上方に立ち上がった状態で安定しやすくなる。従って、尿等の横漏れを防止しやすくなる。
【０００７】
前記溶着部は、前記起立部の上方縁に対し４５°〜１３５°の角度で配置された直線状または点線状の溶着線が、長手方向に複数並んだ溶着線群からなることが好ましい。このように溶着部を設けることにより、フラップの立ち上がり方向に剛性が付与され、フラップの立ち上がった状態での安定性が向上する。
【０００８】
本発明の使い捨て吸収性物品は使い捨ておむつであってもよく、この場合、使い捨ておむつは、前腹部と、後背部と、これらの間に位置し前記吸収性コアが備えられた股部とから構成され、股部の幅方向に前記フラップを横断して配設される弾性部材を有していることが好ましい。前記構成により、股部の幅方向に配設された弾性部材は、吸収体の股部およびフラップを着用者側に持ち上げるように作用するようになり、その結果、フラップの着用者へのフィット性が高まり、尿等の横漏れが防止されやすくなる。
【０００９】
前記弾性部材は、両端部が股部の縁に沿って延在していてもよい。前記構成により、おむつを着用する際の脚開口部周りに弾性部材が設けられることとなり、脚開口部からの尿等の漏れが防止されやすくなる。また、製造上、股部と脚開口部周りに、弾性部材を容易に設けることができるようになる。
【００１０】
使い捨て吸収性物品のフラップの起立部および／または折り返し部には、起立部の上方縁に沿って線状または点状の着色部が設けられていてもよい。フラップに着色部が設けられることにより、着色部がフラップの目印となるため、使い捨て吸収性物品を着用する際や吸収体に補助吸収具を重ねる際、作業性が向上する。
【発明の効果】
【００１１】
本発明の使い捨て吸収性物品は、フラップの着用者の肌に対する圧迫が低減され、肌触りがよい。
【図面の簡単な説明】
【００１２】
【図１】本発明の使い捨て吸収性物品の吸収体とフラップの幅方向断面図を表す。
【図２】本発明の吸収性物品のフラップに設けられる溶着部の例を表す。
【図３】本発明の吸収性物品のフラップに設けられる着色部の例を表す。
【図４】本発明の使い捨て吸収性物品としての使い捨ておむつの外観を表す。
【図５】図４の使い捨ておむつの前腹部と後背部との接合を解いて、平面に展開した状態を表す。
【図６】図５のＡ−Ａ断面図を表す。
【図７】使い捨ておむつの別の実施態様を表す。
【発明を実施するための形態】
【００１３】
本発明の使い捨て吸収性物品は、トップシートとバックシートとの間に吸収性コアが配置され、長手方向と幅方向とを有する吸収体と、前記吸収性コアの幅方向両側縁部に設けられたフラップとを有する。本発明の使い捨て吸収性物品の態様としては、生理用ナプキンや使い捨ておむつ等が示される。
【００１４】
吸収体としては、トップシートとバックシートとの間に吸収性コアが配置されていればよい。吸収体の形状としては、長手方向と幅方向とを有するものであれば特に限定されない。
【００１５】
使い捨て吸収性物品が、例えば生理用ナプキンである場合、吸収体の形状としては、略長方形、砂時計型、ひょうたん型等が示される。
【００１６】
使い捨て吸収性物品が、例えば使い捨ておむつである場合、当該使い捨ておむつは、前腹部と、後背部と、これらの間に位置し前記吸収性コアが備えられた股部とから構成されていることが好ましい。使い捨て吸収性物品が使い捨ておむつである場合、使い捨て吸収性物品としては、例えば、内側シートと外側シートとからなる積層体が前腹部と後背部とこれらの間に位置する股部とからなるおむつ本体を形成し、前記股部に吸収性コアを有する吸収体が備えられていてもよい。このとき、吸収体の形状としては、略長方形等が示される。また、使い捨て吸収性物品が使い捨ておむつである場合、使い捨て吸収性物品としては、例えば、吸収体が、前腹部と後背部とこれらの間に位置する股部とを形成し、前記股部に吸収性コアが備えられていてもよい。
【００１７】
吸収体の長手方向とは、使い捨て吸収性物品を着用者が着用した際、着用者の股間の前後方向に延びる方向を意味する。吸収体の形状が略長方形状の場合、吸収体の長手方向は、一般に、略長方形の長軸方向（長辺が延びる方向）となり、吸収体の形状が砂時計型、ひょうたん型の場合、吸収体の長手方向は、各形状のくびれた部分をまたがって延びる方向となる。吸収体が、前腹部と後背部と股部とを形成している場合、前腹部から後背部にかけての方向が長手方向となる。吸収体の幅方向とは、吸収体と同一面上にあり、長手方向と直交する方向を意味する。
【００１８】
前腹部、後背部、股部とは、使い捨ておむつを着用の際に、着用者の腹側に当てる部分を前腹部と称し、着用者の尻側に当てる部分を後背部と称し、前腹部と後背部との間に位置し着用者の股間に当てる部分を股部と称する。
【００１９】
使い捨て吸収性物品が使い捨ておむつである場合、使い捨ておむつは、後背部または前腹部の左右に一対の止着部材が設けられ、当該止着部材により着用時にパンツ型に形成するオープン型使い捨ておむつであったり、前腹部と後背部とが接合されることによりウェスト開口部と一対の脚開口部とが形成されたパンツ型使い捨ておむつであってもよい。
【００２０】
トップシートは、液透過性であることが好ましく、バックシートは、液不透過性または撥水性であることが好ましい。また、前記内側シートは、親水性または撥水性であることが好ましく、前記外側シートは、撥水性であることが好ましい。
【００２１】
吸収性コアは、尿等の排泄物を吸収できるものであれば特に限定されず、吸水性樹脂を含んでいることが好ましい。吸収性コアは、例えば、粉砕したパルプ繊維やセルロース繊維等の親水性繊維集合層に粒状の吸水性樹脂を混合したものを、ティッシュペーパーなどの紙シートまたは液透過性不織布シート等の被覆シートで包み、長方形、砂時計型、ひょうたん型、羽子板型等の所定形状に成形することにより得られる。
【００２２】
本発明の使い捨て吸収性物品には、吸収性コアの幅方向両側縁部に沿って、フラップが設けられており、フラップは、トップシートに接合する固定部と、固定部から上方に延出する起立部とを有している。フラップは、吸収性コアの幅方向両側縁部に沿って設けられていればよく、例えば、吸収性コアの上面の幅方向両側縁部に設けられてもよく、吸収性コアの幅方向両外側に設けられてもよい。好ましくは、フラップは、固定部と起立部の境界が、吸収性コアの幅方向両側縁部から幅方向の内側または外側に２０ｍｍ以内の領域にあることが好ましい。
【００２３】
フラップの固定部は、少なくともトップシートに接合していればよく、バックシート等のトップシート以外の部分にさらに接合していてもよい。
【００２４】
フラップの起立部は、固定部から上方に延出している。上方とは、吸収体の長手方向と幅方向とに直交する方向で、吸収体に対し着用者側の方向を意味する。起立部は、非伸縮性の撥水性または液体不透過性の不織布のみから形成されている。従って、起立部には、弾性部材等が設けられていない。本発明の使い捨て吸収性物品は、フラップの起立部が、非伸縮性の撥水性または液体不透過性の不織布のみから形成されているため、弾性部材が設けられたフラップと比較して、着用者の肌に対する圧迫が低減され、肌触りがよい。
【００２５】
図１に、本発明の使い捨て吸収性物品に設けられるフラップの実施態様の例を示す。図１は、本発明の使い捨て吸収性物品について、吸収体とフラップの幅方向断面図を表している。
【００２６】
図１（ａ）において、使い捨て吸収性物品１は、トップシート２とバックシート３との間に吸収性コア４が配置され、長手方向と幅方向ｘとを有する吸収体５と、吸収性コア４の幅方向両側縁部に沿って設けられたフラップ６とを有している。フラップ６の固定部７は、トップシート２に接合している。フラップ６の起立部８は、固定部７から上方ｚ１に延出している。フラップ６の起立部８には、弾性部材等が設けられていない。
【００２７】
図１（ｂ）では、フラップ６の起立部８が、固定部７から上方ｚ１に延出し、起立部８の上方縁９で折り返されている。フラップ６は、起立部８から延出し、起立部８の上方縁９で折り返された折り返し部１０を有している。フラップ６が折り返し部１０を有している場合、起立部８と同様に、折り返し部１０も非伸縮性の撥水性または液体不透過性の不織布のみから形成されている。また、フラップ６が折り返し部１０を有している場合、起立部８と折り返し部１０は、溶着部１１により互いに溶着されている。フラップ８が、起立部８と折り返し部１０とを有し、これらが溶着部１１により互いに溶着されていると、溶着部１１によりフラップ６に剛性が付与されるため、起立部８と折り返し部１０とに弾性部材が設けられていなくても、フラップ６が吸収体５の上方に立ち上がった状態で安定しやすくなる。従って、尿等の横漏れを防止しやすくなる。
【００２８】
図１（ｂ）では、フラップ６の起立部８は、上方縁９で幅方向内側に折り返されていたが、フラップ６の起立部８は、図１（ｃ）に示すように、上方縁９で幅方向外側に折り返されてもよい。さらに、図１（ｃ）に示すように、起立部８が上方縁９で折り返されて形成された折り返し部１０は、吸収体５と接合してもよい。折り返し部１０が吸収体５と接合していると、フラップ６の上方への立ち上がりがさらに容易になる。
【００２９】
フラップに設けられる溶着部は、起立部の上方縁に対し４５°〜１３５°の角度で配置された直線状または点線状の溶着線が、長手方向に複数並んだ溶着線群からなることが好ましい。このように溶着部が設けられることにより、フラップの立ち上がり方向に剛性が付与され、フラップの立ち上がった状態での安定性が向上する。
【００３０】
溶着部は、フラップの起立部と折り返し部とが形成されるようにフラップを折り曲げた状態で、起立部と折り返し部とを形成する不織布どうしを、所定のパターンでヒートシール（熱融着）すればよい。
【００３１】
溶着部の一実施態様について、図２を用いて説明する。図２には、図１（ｂ）に示したフラップを例にとり、フラップに設けられる溶着部の例を示す。
【００３２】
図２（ａ）では、溶着部１１は、起立部８の上方縁９に対し９０°の角度で配置された直線状の溶着線が、長手方向ｙに複数並んだ溶着線群からなっている。図２（ａ）に示すようにフラップ６に溶着部１１を設けると、フラップの立ち上がり方向に剛性が付与され、フラップの立ち上がった状態での安定性が向上する。
【００３３】
図２（ｂ）では、溶着部１１は、起立部８の上方縁９に対し９０°の角度で配置された直線状の溶着線が、長手方向ｙに複数並んだ溶着線群からなっているが、溶着線はフラップの長手方向中央付近にのみ設けられる。図２（ｂ）に示すようにフラップ６に溶着部１１を設けると、フラップの長手方向中央付近にのみ立ち上がり方向に剛性が付与されるようになる。従って、フラップは、長手方向端部に比べ、長手方向中央部で安定して立ち上がるようになり、股部中央付近で自然に防漏壁が形成されることとなる。
【００３４】
図２（ｃ）では、溶着部１１は、起立部８の上方縁９に対し４５°〜１３５°の角度で配置された直線状の溶着線が、長手方向ｙに複数並んだ溶着線群からなっており、前記溶着線群は、フラップの長手方向中心に向かって傾斜するように並んでいる。図２（ｃ）に示すようにフラップ６に溶着部１１を設けると、フラップの立ち上がった状態での長手方向への安定性が向上する。
【００３５】
図２（ｄ）では、溶着部１１は、起立部８の上方縁９に対し４５°〜９０°の角度で配置された点線状の溶着線と９０°〜１３５°の角度で配置された点線状の溶着線とが、長手方向ｙに交互に並んだ溶着線群からなっている。図２（ｄ）に示すように、溶着線は点線状でもよく、ジグザグ状に溶着線を設けることで、フラップの立ち上がった状態での長手方向への安定性が向上する。
【００３６】
溶着部を形成する溶着線群は、５本以上の溶着線からなることが好ましく、８本以上の溶着線からなることがより好ましく、１２本以上の溶着線からなることがさらに好ましい。溶着線群が、５本以上の溶着線からなっていれば、フラップの立ち上がり方向への剛性が付与されやすくなり、フラップの立ち上がった状態での安定性が向上する。
【００３７】
溶着部を形成する溶着線群の各溶着線の長さは、１ｍｍ以上が好ましく、３ｍｍ以上がより好ましく、５ｍｍ以上がさらに好ましい。各溶着線の長さが１ｍｍ以上であり、各溶着線が起立部の上方縁に対し４５°〜１３５°の角度で配置されていれば、フラップの立ち上がり方向への剛性が付与されやすくなり、フラップの立ち上がった状態での安定性が向上する。なお、各溶着線の長さの上限は、各溶着線が起立部と折り返し部とに設けられる限り、特に限定されない。
【００３８】
溶着線群は、各溶着線が等間隔で並んでいる必要はない。好ましくは、溶着線群は、フラップの長手方向中央域５０％の範囲、すなわちフラップを長手方向に４分割したときの中央２分割分の領域に設けられる。より好ましくは、溶着線群は、フラップの長手方向中央域３３％の領域、すなわちフラップを長手方向に３分割したときの中央領域に設けられる。溶着線群がフラップの長手方向中央域に設けられることで、フラップは、長手方向端部に比べ、長手方向中央部で安定して立ち上がるようになり、股部中央付近で自然に防漏壁が形成されるようになる。
【００３９】
フラップには、起立部および／または折り返し部に、起立部の上方縁に沿って線状または点状の着色部が設けられていてもよい。フラップの起立部の上方縁に沿って着色部が設けられることにより、着色部がフラップの目印となるため、フラップを着用者のそけい部に沿わせて使い捨て吸収性物品を着用する際、装着作業が容易となる。また、２つのフラップ間に尿取りパッド等の補助吸収具を重ねる場合に、作業性が向上する。
【００４０】
着色部は、起立部の上方縁に設けられないことが好ましい。起立部の上方縁に着色部が設けられると、上方縁の比較的鋭利な部分に着色部が設けられ、当該部分が着用者の肌に強く接触しやすくなり、着用者の肌を汚すおそれがある。従って、着色部は、起立部および／または折り返し部に設けられる。着色部がフラップの目印として作用するためには、好ましくは、着色部は起立部の上方縁から幅方向外側に設けられる。また、着色部は、フラップの目印として作用するために、起立部の上方縁から１０ｍｍ以内の領域に設けられることが好ましい。
【００４１】
着色部の一実施態様について、図３を用いて説明する。図３には、図１（ｂ）に示したフラップを例にとり、フラップに設けられる着色部の例を示す。図３（ａ）では、線状の着色部１２が、折り返し部１０に、起立部８の上方縁９に沿って設けられている。図３（ｂ）では、点状の着色部１２が、起立部８に、起立部８の上方縁９に沿って設けられている。
【００４２】
フラップを形成する不織布は、撥水性または液体不透過性であれば、特に限定されない。
【００４３】
フラップを形成する不織布としては、スパンボンド法、エアースルー法、ポイントボンド法、メルトブロー法、エアレイド法やそれらの製法の組み合わせ等により製造される不織布が好ましい。さらに、スパンボンド法、またはスパンボンド法とメルトブロー法を組み合わせたＳＭＳ法により製造された不織布が好ましく、特にスパンボンド法により製造された不織布が好ましい。このような不織布を用いれば、高強度のフラップが得やすくなる。
【００４４】
フラップを形成する不織布の材質としては、ポリプロピレン、ポリエチレン、ポリエステル、ポリアミド等の合成繊維、パルプ、絹等の天然繊維から適宜選択できる。不織布は、撥水性または液体不透過性の繊維から形成されたものでもよく、親水性の繊維から形成され、表面に撥水または液体不透過処理が施されたものであってもよい。中でも、ポリプロピレン、ポリエチレン、ポリエステル等の熱可塑性の合成繊維が好ましく、ポリプロピレン繊維、ポリエステル繊維がより好ましく、ポリプロピレン繊維がさらに好ましい。このような材質から得られる不織布を用いれば、高強度のフラップが得やすくなり、またフラップに溶着部を形成しやすくなる。
【００４５】
フラップを形成する不織布の目付は、５ｇ／ｍ2以上が好ましく、１０ｇ／ｍ2以上がより好ましく、また５０ｇ／ｍ2以下が好ましく、３５ｇ／ｍ2以下がより好ましい。目付が５ｇ／ｍ2〜５０ｇ／ｍ2の不織布を用いれば、不織布の通気性が確保されやすくなるとともに、不織布にコシが出やすくなる。そのため、そのような不織布を用いたフラップは、肌に優しく、着用者にとって快適性が向上するとともに、容易に折れ曲がりにくくなって、防漏壁が形成されやすくなる。
【００４６】
本発明の使い捨て吸収性物品は、前腹部と、後背部と、これらの間に位置し吸収性コアが備えられた股部とから構成され、股部の幅方向にフラップを横断して配設される弾性部材を有する使い捨ておむつであることが好ましい。前記使い捨ておむつは、着用時にパンツ型に形成するオープン型使い捨ておむつであっても、前腹部と後背部とが接合されることによりウェスト開口部と一対の脚開口部とが形成されたパンツ型使い捨ておむつであってもよい。
【００４７】
使い捨ておむつの股部とは、おむつを展開し平面にした状態で、おむつを長手方向に前腹部と後背部と股部の３つに分割したときに、脚開口部を形成する切欠きが設けられる部分を意味する。
【００４８】
股部には吸収性コアが備えられるが、使い捨ておむつは、前腹部と後背部と股部とからなるおむつ本体と、トップシートとバックシートとの間に吸収性コアが配置された吸収体とを有し、吸収体がおむつ本体の股部に備えられていてもよい。また、使い捨ておむつは、トップシートとバックシートとの間に吸収性コアが配置された吸収体が、前腹部と後背部と股部とを形成し、前記股部に吸収性コアが備えられていてもよい。
【００４９】
使い捨ておむつの股部には、幅方向に延在し、吸収性コアの幅方向両側縁部に沿って設けられた２つのフラップを横断して、股間用弾性部材が配設される。股間用弾性部材が配設されることにより、使い捨ておむつを着用した際、股間用弾性部材の収縮力により吸収体の股部およびフラップが着用者側に持ち上がるようになり、フラップの着用者へのフィット性が高まり、尿等の横漏れが防止されやすくなる。
【００５０】
股間用弾性部材は、股部の幅方向に連続的な直線状で設けられることが好ましい。このように股間用弾性部材を設けることにより、吸収体の股部およびフラップの持ち上げ効果が、より発揮されるようになる。
【００５１】
股間用弾性部材は、１本の弾性部材からなっていても、複数の弾性部材からなっていてもよい。股間用弾性部材が複数の弾性部材からなる場合、各弾性部材は互いにほぼ平行に配設されることが好ましい。また、股間用弾性部材が複数の弾性部材からなる場合、各弾性部材間の間隔はほぼ均等であることが好ましい。股間用弾性部材を構成する各弾性部材が互いにほぼ平行に配設されていれば、股間用弾性部材の伸縮力が最大限発揮されるようになる。また、股間用弾性部材を構成する複数の弾性部材がほぼ均等の間隔で配設されていれば、股部の股間用弾性部材が配設される領域で均等に弾性力が働き、フラップの着用者へのフィット性が向上する。
【００５２】
股間用弾性部材を構成する弾性部材の数は、１本以上が好ましく、２本以上がより好ましく、３本以上がさらに好ましく、また１０本以下が好ましく、８本以下がより好ましく、６本以下がさらに好ましい。股間用弾性部材を構成する弾性部材の数が１本以上であれば、フラップの着用者へのフィット性が改善される。一方、股間用弾性部材を構成する弾性部材の数が１０本を超えても、股間用弾性部材による効果は顕著に改善されにくくなり、かえって製造が困難となり、製造コストも上がる。従って、股間用弾性部材を構成する弾性部材の数は１０本以下が好ましい。
【００５３】
股間用弾性部材が複数の弾性部材からなる場合、長手方向における最前側の弾性部材と最後側の弾性部材との間の長さは、１０５ｍｍ以下が好ましく、８０ｍｍ以下がより好ましい。最前側の弾性部材と最後側の弾性部材との間の長さが１０５ｍｍ以下であれば、股部でのフラップの着用者へのフィット性を高めやすくなる。股間用弾性部材の最前側の弾性部材と最後側の弾性部材との間の長さの下限は特に限定されないが、弾性部材の配設の容易性の点から、前記長さは、０．５ｍｍ以上が好ましく、１ｍｍ以上がより好ましい。なお、最前側の弾性部材と最後側の弾性部材との間の長さが測定箇所により変わる場合は、その最小値を意味する。
【００５４】
股間用弾性部材は、両端部が股部の縁に沿って延在してもよい。股間用弾性部材の両端部が股部の縁に沿って延在することで、おむつを着用する際の脚開口部周りに、脚用弾性部材が設けられることとなる。股間用弾性部材の両端部が延在して脚用弾性部材が形成されることにより、脚開口部からの尿等の漏れが防止されやすくなる。また、製造上、股間用と脚用の弾性部材を容易に設けることができる。
【００５５】
好ましくは、股間用弾性部材は、複数の弾性部材からなり、少なくとも１本の股間用弾性部材の両端が、股部の前側（着用時前側）の縁に沿って延在し、別の少なくとも１本の股間用弾性部材の両端が、股部の後側（着用時後側）の縁に沿って延在する。このように弾性部材を設けることにより、脚開口部のほぼ全周にわたって弾性部材が設けられるようになるため、より確実に脚開口部からの尿等の漏れを防止できるようになる。
【００５６】
使い捨ておむつには、さらに、前腹部や後背部のウェスト開口縁に沿ってウェスト用弾性部材が設けられたり、前腹部や後背部の幅方向に胴周り用弾性部材が設けられていてもよい。ウェスト用弾性部材により、着用者が寝ている状態でも、背中側や腹部側からの尿等の排泄物の漏れが起こりにくくなる。胴周り用弾性部材により、おむつの下腹部周りのフィット性が向上する。
【００５７】
各弾性部材は、ポリウレタン糸、ポリウレタンフィルム、天然ゴム等の通常使い捨ておむつに用いられる弾性伸縮材料が用いることができる。各弾性部材は、シート上またはシート間に、伸張状態で、ホットメルト接着剤、熱接着、超音波接着等の接合手段で配設されることが好ましい。例えば、繊度１００〜２，５００デシテックスのポリウレタン糸を、倍率１．１〜５．０倍に伸張して配設し、固定する。接合部材としては、好ましくは、ゴム系のホットメルト接着剤である。
【００５８】
使い捨ておむつに配設される各弾性部材は、２枚のシート間に配設されることが好ましい。例えば、使い捨ておむつが、前腹部と後背部と股部とからなるおむつ本体と、トップシートとバックシートとの間に吸収性コアが配置された吸収体とを有するものである場合、おむつ本体は、内側シートと外側シートとの積層体からなり、各弾性部材は内側シートと外側シートとの間に配設されることが好ましい。この場合、吸収体は、おむつ本体の股間用弾性部材が配設されている部分には接合されなくてもよい。吸収体が、おむつ本体の股間用弾性部材が配設された部分に接合されなければ、股間用弾性部材のおむつ幅方向への収縮力が吸収性コアの剛性に妨げられなくなり、吸収体の股部およびフラップの持ち上げ効果が、より発揮されるようになる。
【００５９】
例えば、使い捨ておむつが、トップシートとバックシートとの間に吸水性コアが配置された吸収体からなり、吸収体が前腹部と後背部と股部とを形成している場合、各弾性部材はトップシートとバックシートとの間に配設されることが好ましい。吸収性コアが存在する部分では、各弾性部材は、吸収性コアとバックシートとの間に配設されることが好ましい。この場合、股間用弾性部材は吸収性コアとは接合されなくてもよい。股間用弾性部材が吸収性コアと接合されなければ、股間用弾性部材のおむつ幅方向への収縮力が吸収性コアの剛性に妨げられなくなり、吸収体の股部およびフラップの持ち上げ効果が、より発揮されるようになる。
【００６０】
次に、本発明の使い捨て吸収性物品が使い捨ておむつ（パンツ型使い捨ておむつ）である場合について、図４〜図７を参照して説明する。なお、本発明は、下記実施態様に限定されるものではない。
【００６１】
図４は、本発明の使い捨て吸収性物品としての使い捨ておむつの外観を表す。図５は、図４の使い捨ておむつの前腹部と後背部との接合を解いて、平面に展開した状態を表す。図６は、図５の使い捨ておむつのＡ−Ａ断面図を表す。
【００６２】
使い捨ておむつ２１は、前腹部Ｐと、後背部Ｑと、これらの間に位置し吸収性コア４が備えられた股部Ｒとから構成される。詳細には、使い捨ておむつ２１は、前腹部Ｐと後背部Ｑと股部Ｒとからなるおむつ本体２２と、トップシート２とバックシート３との間に吸収性コア４が配置された吸収体５とを有し、吸収性コア４を有する吸収体５がおむつ本体２２の股部Ｒに備えられている。おむつ本体２２は、前腹部Ｐと後背部Ｑとが接合されることによりウェスト開口部２５と一対の脚開口部２６とが形成される。おむつ本体２２は、内側シート２３と外側シート２４とからなる積層体である。
【００６３】
吸収性コア４の幅方向両側縁部に沿って、フラップ６が設けられている（図６）。フラップ６は、トップシート２に接合する固定部７と、固定部７から上方に延出する起立部８と、起立部８から延出し、起立部８の上方縁９で折り返された折り返し部１０を有する。起立部８と折り返し部１０は、溶着部１１により互いに溶着されている。フラップ６の起立部８と折り返し部１０は、非伸縮性の撥水性または液体不透過性の不織布のみから形成されている。フラップ６により、尿等の横漏れが防止される。
【００６４】
吸収体５のトップシート２は、着用者の股部の肌に面するように配置され、尿等の排泄物を透過する。トップシート２を透過した排泄物は、吸収性コア４により収容される。バックシート３は、おむつ本体２２の内側シート２３に接合され、排泄物が外部へ漏れるのを防いでいる。
【００６５】
股部Ｒには、幅方向ｘにフラップ６，６を横断して、股間用弾性部材３１が配設される。図５では、股間用弾性部材３１は４本の弾性部材からなり、前側（前腹部Ｐ側）の２本の弾性部材の両端部が股部Ｒの前側の縁Ｅに沿って延在し、後側（後背部Ｑ側）の２本の弾性部材の両端部が股部Ｒの後側の縁Ｅに沿って延在し、その結果脚開口部２６のほぼ全周にわたって脚用弾性部材３２が形成される。
【００６６】
さらに、ウェスト用弾性部材３３が、ウェスト開口縁２７に沿って設けられ、胴周り用弾性部材３４が、前腹部Ｐと後背部Ｑの幅方向ｘに設けられている。いずれの弾性部材も、内側シート２３と外側シート２４との間に伸張状態で接合されている。
【００６７】
使い捨ておむつ２１に配される股間用弾性部材３１について、別の実施態様を図７に示す。図７では、股間用弾性部材３１は６本の弾性部材からなり、前側の２本の弾性部材の両端部が股部Ｒの前側の縁Ｅに沿って延在し、後側の２本の弾性部材の両端部が股部Ｒの後側の縁Ｅに沿って延在し、その結果脚開口部のほぼ全周にわたって脚用弾性部材３２が形成される。股間用弾性部材３１の真ん中の２本の弾性部材は、両端部が股部Ｒの縁Ｅに沿って延在せず、幅方向ｘにフラップ６，６を横断して配設されるのみである。
【００６８】
図７に示すように、股間用弾性部材３１は、一部の弾性部材が股部Ｒの縁Ｅに沿って延在するものでもよい。図７のように股間用弾性部材３１および脚用弾性部材３２を配設することで、フラップの着用者へのフィット性と脚開口部のフィット性を、独立して調整することが可能になる。
【符号の説明】
【００６９】
１：  使い捨て吸収性物品
２：  トップシート
３：  バックシート
４：  吸収性コア
５：  吸収体
６：  フラップ
７：  固定部
８：  起立部
１０：  折り返し部
１１：  溶着部
１２：  着色部
２１：  使い捨ておむつ
３１：  股間用弾性部材
３２：  脚用弾性部材
【図２】
2010194228.tif 000003
【図３】
2010194228.tif 000004
【図４】
2010194228.tif 000005
【図５】
2010194228.tif 000006
【図６】
2010194228.tif 000007
【図７】
2010194228.tif 000008
【図１】
2010194228.tif 000009